(57)【要約】【課題】炊飯器内の蒸気を回収して再利用することができる炊飯器用の蓋体ユニットの提供する。【解決手段】炊飯器は、蓋体（1）と、蓋体（1）の内側に設けられ、貫通するベントホール（221）が形成される蓋プレート（2）と、蓋体（1）と蓋プレート（2）との間に設けられ、蓋体（1）及び蓋プレート（2）と共に、ベントホール（221）と連通する収容キャビティ（201）を区画する密封ユニット（3）と、蓋体ユニットに設けられ、収容キャビティ（201）を加熱する為の発熱素子（4）と、を含む炊飯器用蓋体ユニット及びそれを備える。【選択図】図１
2020157075.tif 000002
【特許請求の範囲】
【請求項１】
蓋体（1）と、
前記蓋体（1）の内側に設けられ、貫通するベントホール（221）が形成される蓋プレート（2）と、
前記蓋体（1）における前記蓋プレート（2）に向く側に設けられる保温板（12）と、
前記保温板（12）と前記蓋プレート（2）との間に設けられ、前記保温板（12）及び前記蓋プレート（2）と共に、前記ベントホール（221）と連通する収容キャビティ（201）を区画する密封ユニット（3）と、
蓋体ユニット（200）に設けられ、前記収容キャビティを加熱する為の発熱素子（4）と、を含むことを特徴とする炊飯器用の蓋体ユニット。
【請求項２】
前記密封ユニット（3）は、
前記保温板（12）と前記蓋プレート（2）との間に設けられるシールリング（31）と、
前記シールリング（31）を、前記保温板（12）と前記蓋プレート（2）のうちの一方に固定するように、前記シールリング（31）に設けられるクランプリング（32）と、を含むことを特徴とする請求項1に記載の炊飯器用の蓋体ユニット。
【請求項３】
前記保温板（12）と前記蓋プレート（2）のうちの一方は、前記クランプリング（32）と、係止接続及び/又はネジ接続されることを特徴とする請求項2に記載の炊飯器用の蓋体ユニット。
【請求項４】
前記シールリング（31）の外周壁に環状の凹溝（311）が形成され、前記クランプリング（32）に突起（323）が設けられ、前記突起（323）が前記凹溝（311）内に嵌合されることを特徴とする請求項2に記載の炊飯器用の蓋体ユニット。
【請求項５】
前記ベントホール（221）が複数であり、且つ前記複数のベントホール（221）が互いに離間することを特徴とする請求項1に記載の炊飯器用の蓋体ユニット。
【請求項６】
前記蓋プレート（2）には、前記蓋プレート（2）の内面から前記保温板（12）の方向に凹んだ凹部（22）が形成され、前記ベントホール（221）が前記凹部（22）の底壁に形成されることを特徴とする請求項1に記載の炊飯器用の蓋体ユニット。
【請求項７】
前記発熱素子（4）が、前記保温板（12）における前記蓋プレート（2）から離れる側に設けられることを特徴とする請求項1に記載の炊飯器用の蓋体ユニット。
【請求項８】
更に温度センサ（5）を含み、
前記温度センサ（5）が前記蓋体（1）に設けられ、前記蓋プレート（2）には貫通する貫通孔（23）が形成され、前記貫通孔（23）が前記収容キャビティから離間し、前記温度センサ（5）のプローブヘッドが前記貫通孔（23）を通り、前記蓋体（1）に前記温度センサ（5）を固定する固定構造が設けられることを特徴とする請求項1に記載の炊飯器用の蓋体ユニット。
【請求項９】
請求項1〜請求項8の何れか1項に記載の炊飯器用の蓋体ユニットを適用する炊飯器であって、
本体（100）を含み、前記蓋体ユニット（200）は前記本体（100）上に設けられ、前記本体（100）とともに調理室（1001）を区画することを特徴とする炊飯器。
【発明の詳細な説明】
【技術分野】
【０００１】
本発明は、炊飯設備分野に関し、特に炊飯器用の蓋体ユニット及びそれを備える炊飯器に関する。
【背景技術】
【０００２】
関連技術に係る炊飯器では、料理の調理中に、炊飯器内に多くの蒸気が発生し、これら蒸気が炊飯器の蒸気弁から逃げてしまう一方、炊飯器は保温中に、料理を恒温に維持するために、やはり炊飯器内の料理を低温加熱する必要があり、この過程において、炊飯器内に水分を補給しなければ、料理が煮干しされ、更には、内釜の底壁に粘着してしまう等の問題を招く恐れがある。
【発明の概要】
【発明が解決しようとする課題】
【０００３】
本発明は、少なくとも従来技術に存在する課題の一つを解決することを目的とする。このため、本発明は、炊飯器内の蒸気を回収して再利用することができる炊飯器用の蓋体ユニットを提供することにある。本発明は、更に上記の蓋体ユニットを備える炊飯器を提供する。
【課題を解決するための手段】
【０００４】
本発明の第一形態による炊飯器用の蓋体ユニットは、蓋体と、前記蓋体の内側に設けられ、貫通するベントホールが形成される蓋プレートと、前記蓋体における前記蓋プレートに向く側に設けられる保温板と、前記保温板と前記蓋プレートとの間に設けられ、前記保温板及び前記蓋プレートと共に、前記ベントホールと連通する収容キャビティを区画する密封ユニットと、前記蓋体ユニットに設けられ、前記収容キャビティを加熱する為の発熱素子、を含む。
【０００５】
本発明による炊飯器用の蓋体ユニットは、密封ユニットを蓋プレートと保温板との間の隙間に設置することにより、密封ユニットは、蓋プレートと保温板との共同により収容キャビティを区画しており、炊飯器内の蒸気を効果的に回収し、再利用して、更に追加調理及び水分補給を実現することができ、このような収容キャビティの構成方式は、蓋プレート、保温板及び蓋プレートと保温板との間の未使用空間を巧妙に利用し、蓋体ユニットの構造をもっとコンパクト化させ、且つ実現しやすくすることができる。
【０００６】
具体的には、前記密封ユニットは、前記保温板と前記蓋プレートとの間に設けられるシールリングと、前記シールリングを、前記保温板と前記蓋プレートのうちの一方に固定するように、前記シールリングに設けられるクランプリングと、を含む。
【０００７】
前記保温板と前記蓋プレートのうちの一方は、前記クランプリングと、係止接続及び/又はネジ接続されてもよい。
【０００８】
更には、前記シールリングの外周壁に環状凹溝が形成され、前記クランプリングに突起が設けられ、前記突起が前記凹溝内に嵌合される。
【０００９】
前記ベントホールが複数であり、且つ前記複数のベントホールが互いに離間してもよい。
【００１０】
具体的には、前記蓋プレートには、前記蓋プレートの内面から前記保温板の方向に凹んだ凹部が形成され、前記ベントホールが前記凹部の底壁に形成される。
【００１１】
更には、前記発熱素子が前記保温板における前記蓋プレートから離れる側に設けられる。
【００１２】
具体的には、前記蓋体ユニットは更に温度センサを含み、前記温度センサが前記蓋体に設けられ、前記蓋プレートには貫通する貫通孔が形成され、前記貫通孔が前記収容キャビティから離間し、前記温度センサのプローブヘッドが前記貫通孔を通り、前記蓋体に前記温度センサを固定する固定構造が設けられる。
【００１３】
本発明の第二形態による炊飯器は、本体と、本発明の第一形態による炊飯器用の蓋体ユニットと、を含み、前記蓋体ユニットが前記本体上に設けられ、前記本体とともに調理室を区画する。
【００１４】
本発明による炊飯器は、上記の第一形態における炊飯器用の蓋体ユニットを設置することで、炊飯器の全体性能を高めた。
【００１５】
本発明の付加形態及び利点については、以下の説明において一部が提供され、一部が以下の説明から明確化され、又は本発明の実践により知られる。
【図面の簡単な説明】
【００１６】
【図１】は、本発明の実施例による炊飯器用の蓋体ユニットの分解図である。
【図２】は、図1に示す蓋体ユニットの斜視図である。
【図３】は、図2に示す蓋体ユニットの斜視図であって、蓋プレートを示していない図である。
【図４】は、本発明の一実施例による蓋体ユニットの断面図である。
【図５】は、本発明の他の実施例による蓋体ユニットの断面図である。
【発明を実施するための形態】
【００１７】
次に、本発明の実施例を詳細に説明し、前記実施例で示す例は図面に示され、終始同一又は類似の符号が、同一又は類似の部品、或は同一又は類似機能を有する部品を表す。以下、図面を参照して説明する実施例は、例示的なもので、 本発明を説明するためのものであり、本発明を限定するものとして解釈されるべきではない。
【００１８】
以下の開示において、本発明の異なる構造を実現するために、複数の異なる実施例又は態様が提供される。本発明の開示を簡略化するために、特定例における部材とその取り付けを以下に説明する。勿論、これらは例示的なものに過ぎず、本発明を限定することを意図するものではない。なお、本発明では、異なる例において、参照数字及び/又はアルファベットを繰り返している。このような繰り返しは、簡単明瞭にするためであり、それ自身が検討されている各種の態様及び/又は取り付けの間の関係を示すものではない。なお、本発明に係る各種の特定プロセス及び材料の例が提供されるが、当業者は、他のプロセスの適用性及び/又は他の材料の使用の示唆を受けることができる。
【００１９】
次に、図1-図5を参照しながら、本発明の第一形態の実施例による炊飯器1000用の蓋体ユニット200を説明する。
【００２０】
図4及び図5に示すように、炊飯器1000は、本体100と、蓋体ユニット200と、を含んでもよく、蓋体ユニット200はピボット可能に本体100の上端面に設置されてもよく、そうすると、蓋体ユニット200は本体100と共に調理室1001を区画している。蓋体ユニット200が閉状態に位置すると、蓋体ユニット200が略水平に設置されてもよく、蓋体ユニット200の下端面が、本体100の上端面に接触し、この時、調理室1001の頂部が略密封され、蓋体ユニット200が開状態に位置すると、蓋体ユニット200が略垂直に設置されてもよく、蓋体ユニット200の下端面が本体100の上端面から離れ、この時、調理室1001の頂部は開いている。
【００２１】
図1に示すように、本発明の第一形態の実施例による炊飯器1000用の蓋体ユニット200は、蓋体1、蓋プレート2、保温板12、密封ユニット3及び発熱素子4を含む。
【００２２】
具体的には、蓋プレート2が蓋体1の内側に設置され、保温板12が蓋体1における蓋プレート2に向く側に設置される。図1を参照して、図4及び図5を併せて参照すると、蓋体1は、外殻11を含んでもよく、保温板12が外殻11の内側に設置され、蓋プレート2が保温板12の内側に設置され、つまり、蓋プレート2が保温板12の調理室1001に近接する側に設置され、蓋プレート2が係止構造（例えば、図1に示すA1、A2及びA3）により、取り外し可能に蓋体1又は保温板12に設置され、蓋体ユニット200が閉状態に位置すると、蓋プレート2と保温板12が何れも水平に設置され、蓋プレート2が保温板12の内側（例えば図4に示す下側）に位置することにより、調理室1001内に発生する蒸気が上方に移動する際に、まず蓋プレート2に接触でき、このように、蓋プレート2を取り外し可能に蓋体1又は保温板12に接続することで、ユーザが蓋プレート2を取り外して洗うことを便利にすることができる。上記において、係止構造は当業者に熟知されるものであるため、ここで詳細を省略する。また、蓋プレート2は、他の方式により、蓋体1又は保温板12に接続されてもよい。なお、ここで、「内」とは、調理室1001の中心に向く方向であると理解されてもよく、その反対方向、即ち、調理室1001の中心から離れる方向は「外」であると定義される。
【００２３】
更には、密封ユニット3が保温板12と蓋プレート2との間に設置され、保温板12及び蓋プレート2と共に収容キャビティ201を区画し、蓋プレート2には、貫通するベントホール221が形成され、ベントホール221は収容キャビティ201と調理室1001とを連通するためのものである。図4及び図5に示すように、蓋プレート2の外端面（例えば、図4に示す上端面）と保温板12の内端面（例えば、図4に示す下端面）との間に隙間を有し、密封ユニット3が、この隙間に設けられることにより、密封ユニット3、保温板12及び蓋プレート2が共に収容キャビティ201を区画し、ベントホール221が内外（例えば、図1に示す内外）方向に沿って、蓋プレート2を貫通し、ベントホール221の内端（例えば、図4に示す下端）が調理室1001に連通し、ベントホール221の外端（例えば、図4に示す上端）が収容キャビティ201に連通することにより、調理室1001内の蒸気がベントホール221から収容キャビティ201に入ることができる。
【００２４】
図1に示すように、密封ユニット3が環状に構成されてもよく、且つ密封ユニット3の外端面が保温板12に当接するまで延び、密封ユニット3の内端面が蓋プレート2に当接するまで延び、この時、密封ユニット3が収容キャビティ201の外周壁を区画することに使われることができ、保温板12と蓋プレート2が収容キャビティ201の両端面を区画することに使われることができる。勿論、本発明はこれに限定されず、実際の必要をより確実に満足するよう、密封ユニット3の特定の構造が必要に応じて設置されてもよい。
【００２５】
具体的には、発熱素子4が蓋体ユニット200に設けられ、収容キャビティ201を加熱し、図4及び図5を参照すると、発熱素子4が保温板12又は蓋プレート2に設けられてもよく、且つ発熱素子4が収容キャビティ201に接触する、又は、比較的に、収容キャビティ201に近接することができ、発熱素子4が作動する時、発熱素子4が収容キャビティ201を加熱することができ、収容キャビティ201内の蒸気は熱を受けて圧力が増えると、収容キャビティ201内の高圧蒸気が、再度ベントホール221を通って、収容キャビティ201から調理室1001まで戻ることができる。
【００２６】
次に、本発明の一実施例による炊飯器1000の作動過程を簡単に説明する。
【００２７】
具体的には、図4を参照すると、炊飯器1000は、調理（例えば、炊飯）する過程において、調理室1001内を上昇する一部の蒸気が、ベントホール221を通って収容キャビティ201に入り且つ保存されることができ、炊飯が終了した後、炊飯器1000が保温状態に入り、こ
の時、発熱素子4が起動されて、収容キャビティ201内の蒸気（例えば、液状蒸気）を高温蒸気になるまで加熱し、収容キャビティ201内の蒸気が、ベントホール221を通って調理室1001に吹き戻すことができるようになり、このように、調理室1001を加熱するとともに、調理室1001内に保温されている料理（例えば、ご飯）に水分を補給する。
【００２８】
本発明の実施例による炊飯器1000用の蓋体ユニット200は、蓋プレート2と保温板12との間の隙間に密封ユニット3を設置することにより、蓋プレート2と保温板12との共同により収容キャビティ201を区画し、調理室1001内の蒸気を効果的に回収し、且つ必要に応じて、発熱素子4により、蒸気を調理室1001に戻して、調理室1001に対して水分補給及び再度加熱を行い、このような収容キャビティ201の構成方式は、蓋プレート2、保温板12、及び蓋プレート2と保温板12との間の空間を巧妙に利用し、このことにより、蓋体ユニット200の構造をよりコンパクト化するとともに、且つ実現を容易にしている。
【００２９】
本発明の一実施例において、密封ユニット3は、保温板12と蓋プレート2との間に設けられるシールリング31と、シールリング31に設けられ、シールリング31を保温板12と蓋プレート2のうちの一方に固定するクランプリング32と、を含む。例えば、図4に示す例において、クランプリング32がシールリング31の外端を保温板12の内端面に固定するように保温板12の内端面に設けられ、シールリング31の内端が蓋プレート2の外端面に当接され、保温板12がクランプリング32と係止接続されてもよく、ネジ接続されてもよく、係止接続されるとともにネジ接続されてもよい。
【００３０】
例えば、図5に示す例において、クランプリング32がシールリング31の内端を蓋プレート2の外端面に固定するように蓋プレート2の外端面に設けられ、シールリング31の外端が保温板12の内端面に当接され、蓋プレート2がクランプリング32と係止接続されてもよく、ネジ接続されてもよく、係止接続されるとともにネジ接続されてもよい。勿論、本発明はこれに限定されず、蓋プレート2又は保温板12は、他の方式によりクランプリング32と接続されてもよい。
【００３１】
具体的には、シールリング31の外周壁に環状凹溝311が形成され、クランプリング32に突起323が設けられ、突起323が凹溝311に嵌合されてもよい。図1に示すように、シールリング31は略半円環状に構成され、且つシールリング31の外周壁にはシールリング31の中心軸線方向に凹んだ凹溝311が形成され、凹溝311が環状で且つシールリング31の外環縁を一周まわることができ、クランプリング32も略半円環状に構成され、且つクランプリング32の内環には、クランプリング32の内周壁からクランプリング32の中心軸線方向に突出する突起323が設けられ、突起323が環状で且つクランプリング32の内環縁を一周まわるように構成されてもよく、組み立てる時、クランプリング32をシールリング31の外環縁に外嵌させ、且つクランプリング32の内環縁の突起323をシールリング31の外環縁の凹溝311内に嵌合させることで、クランプリング32をしっかりとシールリング31に固定することができる。
【００３２】
更には、図1を参照して、クランプリング32が保温板12に設けられる場合、保温板12の外端面には係止部321が設けられてもよく、係止部321が蓋プレート2から離れる方向に向かって延び、係止部321が三つであってもよく、且つ三つの係止部321が均一的にクランプリング32に分布し、それに応じて、保温板12に三つの貫通する係止孔121が形成されてもよく、三つの係止孔121の位置が三つの係止部321の位置に対応し、三つの係止部321を相応的に三つの係止孔121内に嵌合することで、クランプリング32を保温板12に固定することができる。勿論、本発明はこれに限定されず、係止部321が保温板12に設けられてもよく、係止孔121がクランプリング32に形成されてもよい。
【００３３】
更には、図1を参照して、クランプリング32が保温板12に設けられる場合、保温板12に
貫通する接続孔が形成されてもよく、接続孔が三つであってもよく、且つ三つの接続孔が均一的にクランプリング32に分布し、それに応じて、保温板12に三つの貫通するネジ孔122が形成されてもよく、三つの接続孔の位置が三つのネジ孔122の位置に対応し、三つのネジ322が、それぞれ順に相応する接続孔を通って、更に相応するネジ孔122にネジ接続されることで、クランプリング32を強固に保温板12に固定することができる。凹溝311の外壁には、ネジ322がスムーズにシールリング31を通ることを保証するための退避溝312が形成されてもよい。
【００３４】
なお、ここで、クランプリング32が蓋プレート2に設けられる場合、クランプリング32と蓋プレート2との接続方式が、クランプリング32と保温板12との接続方式と類似してもよく、ここで詳細を省略する。
【００３５】
本発明の一実施例において、ベントホール221が複数であり、且つ複数のベントホール221が互いに離間する。図1に示すように、蓋プレート2に凸部21が形成され、凸部21は、蓋プレート2の外面から蓋プレート2の内面の方向に突出しており、シールリング31の内端が凸部21の外面に当接してもよく、具体的には、凸部21が略半円形に構成されてもよく、且つ凸部21の外環縁のサイズがシールリング31の外環縁のサイズと同じで、ベントホール221が凸部21に形成され、且つ内外方向に沿って蓋プレート2を貫通し、複数のベントホール221が円弧状に並んでもよく、且つ任意の二つのベントホール221の間の距離が等しくてもよく、そうすると、複数のベントホール221が均一的に凸部21に分布することができる。
【００３６】
更には、蓋プレート2には、蓋プレート2の内面から保温板12の方向に凹んだ凹部22が形成され、ベントホール221が凹部22の底壁に形成される。図1を参照して、図4及び図5を併せて参照すると、凹部22が複数であり、且つ複数の凹部22が何れも凸部21に形成され、各凹部22がそれぞれ凸部21の内面から外に凹んでおり、凹部22がベントホール221に一対一で対応し、且つ各ベントホール221がそれぞれ内外方向に沿って相応する凹部22の底壁を貫通する。これにより、蓋体ユニット200が閉状態となると、収容キャビティ201内の液体蒸気が重力の作用を受けて、凹部22の側壁に沿って上に移動してベントホール221から流れ出すことがないので、収容キャビティ201内の液体蒸気を安定的に収容キャビティ201に保存することができることが保証される。
【００３７】
本発明の一実施例において、密封ユニット3が保温板12と蓋プレート2との間に設けられ、発熱素子4が保温板12における蓋プレート2から離れる側に設けられる。図1を参照して図4及び図5を併せて参照すると、密封ユニット3が保温板12と蓋プレート2との間に設けられ、発熱素子4が保温板12の外側に設けられ、発熱素子4は、PTCサーミスタ（PTCはPositive Temperature Coefficientの略であり、即ち、正の温度係数が非常に大きい半導体材料又はデバイス）であってもよい。勿論、本発明はこれに限定されず、発熱素子4が他のタイプの発熱素子であってもよく、ここでは詳細を省略する。
【００３８】
図1に示すように、保温板12には内凹部123が形成され、内凹部123が蓋プレート2の内面から外に凹んでおり、シールリング31の外端が内凹部123の内面に当接され、具体的には、内凹部123は略半円形に構成されてもよく、且つ内凹部123の外環縁のサイズが凸部21の外環縁のサイズと同じで、係止孔121とネジ孔122が何れも内凹部123に形成され、発熱素子4が内凹部123の外側に固定されてもよく、且つ内凹部123と前後向かい合う。これにより、発熱素子4の収容キャビティ201に対する加熱効率を効果的に高めることができる。
【００３９】
本発明の一実施例において、蓋体ユニット200は、更に温度センサ5を含み、温度センサ5が蓋体1に設けられ、蓋プレート2には貫通する貫通孔23が形成され、温度センサ5の内端にプローブヘッドを有し、温度センサ5のプローブヘッドが貫通孔23を通ることにより、温度センサ5のプローブヘッドが調理室1001内の温度を検知することができ、貫通孔23が
収容キャビティ201から離間し、つまり、温度センサ5が収容キャビティ201内に位置しなく、蓋体1には温度センサ5を固定する固定構造が設けられ、固定構造が温度センサ5を強固に蓋体1に固定するために使われ、且つ同時に、調理室1001内の蒸気が貫通孔23から蓋プレート2と蓋体1との間に入ることを避けるように、貫通孔23を密封することができる。
【００４０】
例えば、図1-図3の例において、固定構造が固定支持要素とパッキンリング51とを含んでもよく、パッキンリング51が保温板12に固定されてもよく、且つパッキンリング51が調理室1001の方向に向かって延びてもよく、貫通孔23が内外方向に沿って蓋プレート2を貫通し、組み立てられた後、パッキンリング51が貫通孔23を通り、且つパッキンリング51が貫通孔23と締り嵌めることができ、つまり、貫通孔23の内周壁がパッキンリング51の外周壁と密接することにより、パッキンリング51が貫通孔23を厳密に密封することができ、調理室1001内の蒸気が貫通孔23から保温板12の外側に入ることを避ける。
【００４１】
更には、固定支持要素が保温板12に固定されてもよく、温度センサ5が固定支持要素に固定されることにより、固定支持要素が温度センサ5を保温板12に固定することができ、固定支持要素と温度センサ5がパッキンリング51の内環内に限定されることができ、言い換えれば、パッキンリング51が固定支持要素と温度センサ5とを取り囲み、温度センサ5が調理室1001の方向に向かって延び、パッキンリング51が貫通孔23と嵌合した後、温度センサ5がパッキンリング51内に位置し且つ貫通孔23を通り、この時、温度センサ5のプローブヘッドが調理室1001内の温度が検知できるようになる。
【００４２】
本発明の第二形態の実施例による炊飯器1000は、本発明の上記第一形態の実施例による本体100と、本体100に設けられ、本体100とともに調理室1001を区画する蓋体ユニット200とを含む。
【００４３】
図1、図4及び図5に示すように、本体100が、ハウジング（殻体）と、ハウジング内に取り付けられ、蓋体ユニット200と共に調理室1001を区画する内釜101と、ハウジングと内釜101との間に設置され、内釜101を加熱することにより、調理室1001内の料理を加熱する発熱素子とを含んでもよい。発熱素子は当業者にとって既知であるため、ここで詳細を省略する。
【００４４】
温度センサ5は、発熱素子4と発熱素子の加熱状態を制御して、より優れた調理効果を実現するように、調理室1001内の温度を検知するために使われることができる。
【００４５】
本発明の実施例による炊飯器1000は、上記第一形態の実施例における炊飯器1000用の蓋体ユニット200が設置されることにより、全体性能が高められた。
【００４６】
本発明の説明において、用語の「上」、「下」、「垂直」、「水平」、「内」、「外」等で示される方位又は位置関係は、図面に基づいて示される方位又は位置関係であり、本発明の説明を容易にし、説明を簡略化するためのものに過ぎず、指された装置又は部品が必ず特定の方位を有し、特定の方位で構成して操作されることを示し又は暗示するためのものではないと理解すべきであるので、本発明を限定するものであると解釈されるべきではない。
【００４７】
なお、用語の「第一」、「第二」は説明するためのものに過ぎず、相対的な重要性を指示又は暗示する、又は指された技術特徴の数を暗示的に示すと理解することができない。これにより、「第一」、「第二」と明記された特徴は、明示的に又は暗示的に一つ又は複数の当該特徴を含むことができる。本発明の説明において、明確かつ具体的な規定がない限り、「複数」とは二つ又は二つ以上を示す。
【００４８】
本発明において、明確な規定及び限定がない限り、「取り付ける」、「連通」、「接続」、「固定」等の用語は広義に理解されるべきであり、例えば、固定接続してもよいし、取り外し可能に接続してもよく、又は一体にしてもよく、直接に接続してもよいし、媒介を介して間接的に接続してもよく、二つの部品内部の連通又は二つの部品同士の作用関係でもよい。当業者にとって、具体的な状況によって上記用語の本発明における具体的な意味を理解することができる。
【００４９】
本発明において、明確的な規定及び限定がない限り、第一特徴が第二特徴の「上」又は「下」にあるとは、第一と第二特徴が直接に接触してもよく、又は第一と第二特徴が媒介を介して間接に接触してもよい。然も、第一特徴が第二特徴の「上」、「上方」及び「上面」にあるとは、第一特徴が第二特徴の真上方又は斜上方にあってもよく、又は、第一特徴の水平高さが第二特徴より高いことを示すものに過ぎない。第一特徴が第二特徴の「下」、「下方」及び「下面」にあるとは、第一特徴が第二特徴の真下方又は斜下方にあってもよく、又は、第一特徴の水平高さが第二特徴より低いことを示すものに過ぎない。
【００５０】
本明細書の説明において、「一実施例」、「いくつ（第一、第二等）の実施例」、「例」、「具体的な例」、又は「いくつの例」等の用語を参照した説明は、当該実施例又は例を結合して説明した具体的な特徴、構造、材料又は特性が本発明の少なくとも一つの実施例又は例に含まれることを意味する。本明細書において、上記用語の模式的な記述は必ずしも同じ実施例又は例に対するものではない。然も、説明した具体的な特徴、構造、材料又は特性は、任意の一つ又は複数の実施例又は例において適宜的な方式により結合することができる。なお、互いに矛盾しない限り、当業者は本明細書に説明した異なる実施例又は例及び異なる実施例又は例の特徴を、結合して組み合わせることができる。
【００５１】
本発明の実施例を上記に示して説明したが、当業者は、本発明の原理及び趣旨を逸脱しない限り、これら実施例に対して各種変更、修正、置換及び変形を行うこと可能であり、本発明の範囲が請求の範囲及びその均等物により限定されると理解することができる。
【符号の説明】
【００５２】
1000  炊飯器
1001  調理室
100  本体
101  内釜
200  蓋体ユニット
201  収容キャビティ
1  蓋体
11  外殻
12  保温板
121  係止孔
122  ネジ孔
123  内凹部
2  蓋プレート
21  凸部
22  凹部
221  ベントホール
23  貫通孔
3  密封ユニット
31  シールリング
311  凹溝
312  退避溝
32  クランプリング
321  係止部
322  ネジ
323  突起
4  発熱素子
5  温度センサ
51  パッキンリング
【図１】
2020157075.tif 000003
【図２】
2020157075.tif 000004
【図３】
2020157075.tif 000005
【図４】
2020157075.tif 000006
【図５】
2020157075.tif 000007
【手続補正書】
【提出日】令和2年6月9日(2020.6.9)
【手続補正１】
【補正対象書類名】特許請求の範囲
【補正対象項目名】全文
【補正方法】変更
【補正の内容】
【特許請求の範囲】
【請求項１】
蓋体（1）と、
前記蓋体（1）の内側に設けられ、貫通するベントホール（221）が形成される蓋プレート（2）と、
前記蓋体（1）における前記蓋プレート（2）に向く側に設けられる保温板（12）と、
前記保温板（12）と前記蓋プレート（2）との間に設けられ、前記保温板（12）及び前記蓋プレート（2）と共に、前記ベントホール（221）と連通する収容キャビティ（201）を区画する密封ユニット（3）と、
蓋体ユニット（200）に設けられ、前記収容キャビティを加熱する為の発熱素子（4）と、を含み、
前記密封ユニット（3）が前記保温板（12）と前記蓋プレート（2）との間に設けられるシールリング（31）とを含み、
前記ベントホール（221）が複数であり、且つ前記複数のベントホール（221）が互いに離間し、
前記蓋プレート（2）には、前記蓋プレート（2）の内面から前記保温板（12）の方向に凹んだ凹部（22）が形成され、前記ベントホール（221）が前記凹部（22）の底壁に形成され、
複数の前記ベントホール（221）は略半円弧状に配置されており、前記シールリング（31）は、前記略半円弧状の下半分をシールするための横方シール縁を有することを特徴とする炊飯器用の蓋体ユニット。
【請求項２】
前記密封ユニット（3）は、
前記シールリング（31）を、前記保温板（12）と前記蓋プレート（2）のうちの一方に固定するように、前記シールリング（31）に設けられるクランプリング（32）、を含み、
前記保温板（12）と前記蓋プレート（2）のうちの一方は、前記クランプリング（32）と、係止接続及び/又はネジ接続され、
前記シールリング（31）の外周壁に環状の凹溝（311）が形成され、前記クランプリング（32）に突起（323）が設けられ、前記突起（323）が前記凹溝（311）内に嵌合されることを特徴とする請求項1に記載の炊飯器用の蓋体ユニット。
【請求項３】
前記蓋プレート（2）には、凸部（21）が形成され、前記凸部（21）は、横リブを有し、前記凸部（21）には複数の前記凹部（22）が形成されていることを特徴とする請求項1に記載の炊飯器用の蓋体ユニット。
【請求項４】
前記凸部（21）の外環縁のサイズが前記シールリング（31）の外環縁のサイズと同じで、前記シールリング（31）の内端が前記凸部（21）の外面に当接されることを特徴とする請求項3に記載の炊飯器用の蓋体ユニット。
【請求項５】
前記凹部（22）が略半球形状を有し、
前記ベントホール（221）の、横方シール縁の方向への垂直投影は重ならないことを特徴とする請求項1に記載の炊飯器用の蓋体ユニット。
【請求項６】
前記蓋体（1）の内側には、前記蓋プレート（2）の外周縁部を収納するための円弧状の逃げ空間を有することを特徴とする請求項1に記載の炊飯器用の蓋体ユニット。
【請求項７】
請求項1〜6の何れか1項に記載の炊飯器用の蓋体ユニットを適用する炊飯器であって、
本体（100）を含み、前記蓋体ユニット（200）は前記本体（100）上に設けられ、前記本体（100）とともに調理室（1001）を区画することを特徴とする炊飯器。
【外国語明細書】
2020157075000001.pdf